(57)【要約】  移動端末(ＭＳ)と、前記移動端末と通信できる基地局(ＢＴＳ)と、前記移動端末のサービス品質(ＱｏＳ)プロファイル情報を貯蔵するプロファイルサーバーとを含むサービスシステムで、前記移動端末にサービス品質に応じてサービスする方法を提供する。本発明によれば、前記プロファイルサーバーは前記移動端末の使用者を示す識別子情報と前記移動端末に提供できるサービスごとにサービス品質プロファイルを前記識別子情報とともに貯蔵する過程と、前記移動端末をサービスする基地局から前記移動端末の情報要求時に前記移動端末のサービス品質プロファイルを前記基地局に提供して前記移動端末が要求したサービスを前記サービスに対するサービス品質プロファイルに応じて提供する過程とを含むことを特徴とする。
2005512424.tif 000002
【特許請求の範囲】
【請求項１】
移動端末(ＭＳ)と、前記移動端末と通信できる基地局(ＢＴＳ)と、前記移動端末のサービス品質(ＱｏＳ)プロファイル情報を貯蔵するプロファイルサーバーとを含むサービスシステムで、前記移動端末にサービス品質に応じてサービスする方法において、
前記プロファイルサーバーは前記移動端末の使用者を示す識別子情報と前記移動端末に提供できるサービスごとにサービス品質プロファイルを前記識別子情報とともに貯蔵する過程と、
前記移動端末のサービス品質プロファイルを前記基地局に提供してサービス品質プロファイルに応じて各々のサービスを提供する過程とを含むことを特徴とする前記方法。
【請求項２】
前記プロファイルサーバーは、
前記移動端末をサービスする基地局から前記移動端末の情報要求時に前記移動端末のサービス品質プロファイルを前記基地局に提供することを特徴とする請求項１に記載の前記方法。
【請求項３】
前記サービス品質プロファイル情報は、
前記移動端末に提供するサービスのタイプ情報と、前記サービスのサービス品質パラメータとを含むことを特徴とする請求項１に記載の前記方法。
【請求項４】
前記サービス品質パラメータは、
提供するサービスに所定の時間伝送できる最小の情報量と、前記提供するサービスに所定の情報を提供する周期と、前記提供するサービスに所定の時間伝送できる最大の情報量とを含むことを特徴とする請求項３に記載の前記方法。
【請求項５】
前記サービス品質パラメータは、
前記提供するサービスに対するハンドオフ方式と、前記提供するサービスの支援が不可能な場合の処理方法と、前記提供するサービスの支援が不可能な場合の低い等級のサービス品質の優先使用可否情報と、前記提供するサービスの優先順位とをさらに含むことを特徴とする請求項４に記載の前記方法。
【請求項６】
移動端末(ＭＳ)と、前記移動端末にサービス品質(ＱｏＳ)を異にしてサービスを提供できる基地局(ＢＴＳ)と、前記基地局と接続された基地局制御器(ＢＳＣ)と、前記基地局制御器と連結されたゲートウェイ(ＧＷ)と、前記ゲートウェイと連結されて前記移動端末に提供されたサービスによる課金情報を貯蔵及び課金計算を行う課金サーバーとを含むサービスシステムで、前記サービス品質に応じて前記移動端末に提供されたサービスの課金情報の貯蔵及び提供されたサービスの課金方法において、
前記基地局はサービス品質に応じるサービスを提供される移動端末から呼切断メッセージ（ＭＳＧ）の受信時に、前記移動端末に提供したサービス品質課金情報を含む呼切断メッセージを生成して基地局制御器に伝える過程と、
前記基地局制御器は前記移動端末の呼接続時間をさらに含めて呼切断メッセージを生成し、これをゲートウェイに伝える過程と、
前記ゲートウェイは前記移動端末に提供されたサービス品質課金情報と、前記サービスが提供された呼接続時間と、前記移動端末に提供されたパケットの数とを含む課金要求メッセージを生成し、これを課金サーバーに伝える過程と、
前記課金サーバーは課金に必要な情報を貯蔵し、サービス品質に応じる課金を行う過程とを含むことを特徴とする前記方法。
【請求項７】
前記課金サーバーに貯蔵される情報は、
前記移動端末識別子とサービス品質に応じるサービス内容情報であることを特徴とする請求項６に記載の前記方法。
【請求項８】
前記サービス品質に応じるサービス内容情報は、
サービスの提供時間中にサービス品質を保障する時間の比率、サービスの提供時間中にサービス品質を保障しない時間の比率、サービス品質を保障する時間中のデータ伝送率分布度、サービス品質を保障しない時間中のデータ伝送率分布度及び連結時間中の物理チャンネル速度の分布度を含むことを特徴とする請求項７に記載の前記方法。
【請求項９】
移動通信システムの基地局からサービス品質に応じて提供されたサービスの課金方法において、
移動端末がサービス品質パラメータを有するサービス要求信号の受信時に前記移動端末のログインデータを生成して基地局制御器に前記移動端末のサービス品質パラメータを有するサービス品質プロファイル情報を要求する過程と、
前記移動端末のサービス品質プロファイル情報の受信時に前記プロファイルのサービス品質パラメータに応じて移動端末が要求するサービスを提供する過程と、
前記移動端末から呼切断メッセージの受信時に、前記移動端末に提供されたサービス品質課金情報を含む呼切断メッセージを生成して前記基地局制御器に伝える過程とを含むことを特徴とする前記方法。
【請求項１０】
前記サービス品質課金情報は、
連結時間中にサービス品質を保障する時間の比率、連結時間中にサービス品質を保障しない時間の比率、サービス品質を保障する時間中のデータ伝送率分布度、サービス品質を保障しない時間中のデータ伝送率分布度及び連結時間中の物理チャンネル速度の分布度を含むことを特徴とする請求項９に記載の前記方法。
【請求項１１】
移動通信システムの基地局制御器からサービス品質に応じて提供されたサービスの課金方法において、
基地局から移動端末の品質プロファイル情報要求の受信時に、これをゲートウェイに伝える過程と、
前記ゲートウェイから前記移動端末のサービス品質情報メッセージの受信時に、前記サービス品質情報に含まれたサービス品質プロファイルを抽出して貯蔵する過程と、
前記受信された移動端末のサービス品質情報メッセージを前記基地局に伝える過程と、
前記基地局から呼切断メッセージの受信時に、前記移動端末の呼接続時間情報を前記呼切断メッセージに付加して前記ゲートウェイに伝える過程とを含むことを特徴とする前記方法。
【請求項１２】
移動通信システムのゲートウェイからサービス品質に応じて提供されたサービスの課金方法において、
基地局制御器から移動端末のサービス品質プロファイル情報要求の受信時に、前記移動端末の接続要求メッセージを生成してプロファイルサーバーに伝える過程と、
前記プロファイルサーバーから前記移動端末のサービス品質情報を含む接続応答メッセージの受信時に、前記移動端末のサービス品質情報に含まれたサービス品質プロファイルを抽出する過程と、
前記移動端末のサービス品質情報を用いてサービス品質情報メッセージを生成し、これを基地局制御器に伝える過程と、
前記基地局制御器から呼切断メッセージの受信時に、前記呼切断メッセージに含まれたサービス品質課金情報と伝送されたパケットの数を含めて課金要求メッセージを生成し、これを前記課金サーバーに伝える過程とを含むことを特徴とする前記方法。
【請求項１３】
前記課金サーバーに貯蔵される情報は、
前記移動端末識別子とサービス品質に応じるサービス内容情報であることを特徴とする請求項１２に記載の前記方法。
【請求項１４】
前記サービス品質に応じるサービス内容情報は、
サービスの提供時間中にサービス品質を保障する時間の比率、サービスの提供時間中にサービス品質を保障しない時間の比率、サービス品質を保障する時間中のデータ伝送率分布度、サービス品質を保障しない時間中のデータ伝送率分布度及び連結時間中の物理チャンネル速度の分布度を含むことを特徴とする請求項１２に記載の前記方法。
【請求項１５】
移動通信システムの課金サーバーからサービス品質に応じて提供されたサービスの課金方法において、
移動端末をサービスする基地局から前記移動端末の情報要求時にプロファイルサーバーに移動端末の情報を要求する過程と、
前記プロファイルサーバーから前記移動端末のサービス品質プロファイルが受信される場合、これを用いて接続応答メッセージを生成し、これを前記基地局に伝えて前記移動端末が要求したサービスを提供する過程とを含むことを特徴とする前記方法。
【請求項１６】
前記ゲートウェイから課金要求メッセージの受信時に、前記課金要求メッセージに含まれた課金レコードを抽出して前記移動端末の課金情報を生成し、これを貯蔵する過程をさらに含むことを特徴とする請求項１５に記載の前記方法。
【請求項１７】
前記貯蔵される課金情報は、
前記移動端末識別子とサービス品質に応じるサービス内容情報であることを特徴とする請求項１６に記載の前記方法。
【請求項１８】
前記サービス品質に応じるサービス内容情報は、
サービスの提供時間中にサービス品質を保障する時間の比率、サービスの提供時間中にサービス品質を保障しない時間の比率、サービス品質を保障する時間中のデータ伝送率分布度、サービス品質を保障しない時間中のデータ伝送率分布度及び連結時間中の物理チャンネル速度の分布度を含むことを特徴とする請求項１７に記載の前記方法。
【発明の詳細な説明】
【技術分野】
【０００１】
本発明は移動通信システムでプロファイルの管理方法に係り、特に、サービスされる種類に応じてプロファイルを管理する方法に関する。
【背景技術】
【０００２】
通常、通信システムにおける課金は通話時間、通話時間帯、通話時間帯にサービスされた地域、相対側の電話番号、サービスされたデータの量及びサービスの種類などに応じて異なる。このようにサービスされたことに応じて加入者ごとに正確な課金を行うためには、提供されたサービスによる情報を貯蔵すべきである。次に、移動通信システムを例として課金情報が貯蔵される構成を調べる。
【０００３】
図１は、一般的な移動通信システムの網構成及び課金情報を貯蔵するシステムの連結構成図である。
基地局(ＢＴＳ(Base Transceiver System)-ａ〜ＢＴＳ-ｎ))１０-ａ〜１０-ｎは自分の領域に位置した端末(ＭＳ:Mobile Station)１と無線チャンネルを通じて通信を行い、基地局制御器(ＢＳＣ:Base Station Controller)２０に連結される。基地局制御器２０はゲートウェイ(ＧＷ:Gateway)又は移動交換局(ＭＳＣ:Mobile Switching Center)３０を通じてインターネット、公衆網(ＰＳＴＮ:Public Switched Telephone Network)又はデータ網(ＰＳＤＮ:Public Switched Data Network)６０と連結される。さらに、一般的に加入者の情報又は加入者に対するサービスプロファイル(Profile)はプロファイルサーバー(Profile Server)４０に貯蔵される。前記プロファイルサーバーをＣＤＭＡ２０００ １ｘのような移動通信システムで具現する場合、ＡＡＡ(Authentication、Authorization and Accounting)サーバー又は移動交換局として具現されうる。ＣＤＭＡ２０００ １ｘＥＶ-ＤＯ又はＣＤＭＡ２０００ １ｘＥＶ-Ｄのような移動通信システムの場合、前記プロファイルサーバーはＡＮ-ＡＡＡ(Access Network AAA)サーバー又はＡＡＡサーバーとして具現するか、ＭＳＣの内部に具現するか、独立的な他の装備としても具現できる。さらに、加入者の情報又は加入者に対するサービスの課金情報を管理する認証及び課金サーバー(Accounting Server)５０も前記装置として具現することができる。図１では、プロファイルサーバー４０と認証及び課金サーバー５０がそれぞれゲートウェイ３０を通じて連結される構成を有する。しかし、実際に認証及び課金サーバー５０がＡＮ-ＡＡＡサーバー又はＡＡＡサーバーとして構成される場合、プロファイルサーバー４０が認証及び課金サーバー５０の内部に含まれるか、他の装備を用いて認証及び課金サーバー５０に直接連結されるように構成できる。すなわち、基地局１０-ａ〜１０-ｎ又は基地局制御器２０がプロファイルサーバー４０に接続する場合、ゲートウェイ３０を通じて認証及び課金サーバー５０に接続し、認証及び課金サーバー
５０がプロファイルサーバー４０に貯蔵されたＱｏＳ(quality of service)情報を有するように構成できる。
【０００４】
さらに、本発明では基地局と基地局制御器又は基地局制御器とゲートウェイの連結時に、ＩＰ網からなる場合を説明しないが、ＩＰ網で構成されることもできる。このようにＩＰ網からなる場合、基地局、基地局制御器又はゲートウェイなどで行われる動作が他の装置で実行されるように具現できる。但し、後述する動作及びこれによる情報が伝送されるべきである。
このようにプロファイルサーバー４０が管理する加入者プロファイルを示すと、表１のようになる。
【０００５】
【表１】
2005512424.tif 000003
【０００６】
表１に示したように、加入者プロファイルは使用者氏名又は識別子と使用者ごとに割当てされるパスワード及び付加使用者情報で構成される。表１に示したような加入者プロファイルを貯蔵する方法には、プロファイルサーバー４０で直接入力する方法と、遠隔地で他の端末などを通じて入力する方法が可能である。このような加入者プロファイルの入力は、表１に示したように、加入者氏名とその認証のための暗号(Password)を入力して前記プロファイルデータに接近した後、加入者プロファイルを貯蔵又は更新できる。
【０００７】
このような加入者プロファイルによる認証過程を図１を参照して説明すると次の通りである。まず、端末１が呼を設定する場合、端末は予め貯蔵されている使用者ログイン(User Login)データを無線チャンネルで伝送するためのデータの形態で構成して該当する基地局(ＢＴＳ-ａ)に送信する。この際、前記使用者ログインデータには使用者氏名とパスワードが含まれる。前記基地局(ＢＴＳ-ａ)は前記受信したログインデータを基地局制御器２０を通じて移動交換機又はゲートウェイ３０に伝える。
【０００８】
以下、ゲートウェイ３０で前記ログインデータを受信すると仮定して説明する。前記ゲートウェイ３０は、上述したように、使用者氏名とパスワードが含まれたログインデータを受信すると、これを含む接続要求メッセージ(Access Request MSG(message))を生成して前記プロファイルサーバー４０に伝える。その後、前記プロファイルサーバー４０は受信された使用者の認証検査を行う。前記検査結果、認証が成功した場合、前記プロファイルサーバー４０は接続応答メッセージを生成し、これをゲートウェイ３０に伝える。この場合、ゲートウェイ３０とプロファイルサーバー４０は一般的にDIAMETER又はRADIUSプロトコールを使用する。前記接続要求メッセージと前記接続応答メッセージは RADIUSを使用する場合である。
【０００９】
認証が完了されると、前記端末1が要求したサービスが提供される。このようにサービスを提供した後、端末1から呼切断が要求される場合、ログアウト過程及び課金情報が認証及び課金サーバー５０に伝えられる過程を調べる。前記端末1はサービスの完了時にログアウトのために接続解除メッセージ(Disconnect MSG)を前記基地局(ＢＴＳ-ａ)に伝える。これにより、基地局(ＢＴＳ-ａ)は基地局制御器２０に接続解除メッセージを伝える。基地局制御器２０は接続解除メッセージを受信すると、サービスが実行された接続時間(Connection Time)を含む接続解除メッセージを生成してゲートウェイ３０に伝える。その後、ゲートウェイ３０は前記端末１に対して前記プロファイルサーバー４０とログアウトのための手順を行い、同時に課金要求メッセージを認証及び課金サーバー５０に伝える。この際、前記認証及び課金サーバー５０に送信される課金要求メッセージには接続時間とパケットの数情報が含まれる。このように課金情報は一般的に呼の解除時に収集されることが一般的である。
【００１０】
すなわち、一般的な場合、課金は加入者がサービスを使用した時間と該当時間中に送受信したパケットの個数に応じて行われる。したがって、前記認証及び課金サーバー５０の課金データベースには加入者氏名又は加入者を識別するための識別子フィールドが存在し、加入者の基本的な課金情報を貯蔵する加入者課金情報フィールドが備えられている。
【００１１】
一方、移動通信システムでデータサービスの提供が可能になるにつれて、より高品質のデータサービスに対する保障を願う場合が発生する。すなわち、サービスの種類又は加入者の種類に応じて相異なるサービス品質(ＱｏＳ:Quality of Service)が要求されている。したがって、移動通信システムではその要求を満たすために多くの開発が行われている。このようにサービス品質に応じる差別化されたサービスを提供する場合、上述した従来の方法ではサービス品質に応じる課金を行えないという問題点があった。
【発明の開示】
【発明が解決しようとする課題】
【００１２】
本発明は前記問題点を解消するためになされたものであり、その目的は、サービス品質に応じてサービスを提供し、提供されたサービスによる課金データを生成して貯蔵する方法を提供することにある。
本発明の他の目的は、提供されたサービスに対する正確な課金を行える方法を提供することにある。
【課題を解決するための手段】
【００１３】
前記目的を達成するための本発明の一実施例によれば、移動端末(ＭＳ)と、前記移動端末と通信できる基地局(ＢＴＳ)と、前記移動端末のサービス品質(ＱｏＳ)プロファイル情報を貯蔵するプロファイルサーバーとを含むサービスシステムで、前記移動端末にサービス品質に応じてサービスする方法において、前記プロファイルサーバーは前記移動端末の使用者を示す識別子情報と前記移動端末に提供できるサービスごとにサービス品質プロファイルを前記識別子情報とともに貯蔵する過程と、前記移動端末のサービス品質プロファイルを前記基地局に提供してサービス品質プロファイルに応じて各々のサービスを提供する過程とを含むことを特徴とする。
【００１４】
前記目的を達成するための本発明の他の実施例によれば、移動端末(ＭＳ)と、前記移動端末にサービス品質(ＱｏＳ)を異にしてサービスを提供できる基地局(ＢＴＳ)と、前記基地局と接続された基地局制御器(ＢＳＣ)と、前記基地局制御器と連結されたゲートウェイ(ＧＷ)と、前記ゲートウェイと連結されて前記移動端末に提供されたサービスによる課金情報を貯蔵及び課金計算を行う課金サーバーとを含むサービスシステムで、前記サービス品質に応じて前記移動端末に提供されたサービスの課金情報の貯蔵及び提供されたサービスの課金方法において、前記基地局はサービス品質に応じるサービスを提供される移動端末から呼切断メッセージ（ＭＳＧ）の受信時に、前記移動端末に提供したサービス品質課金情報を含む呼切断メッセージを生成して基地局制御器に伝える過程と、前記基地局制御器は前記移動端末の呼接続時間をさらに含めて呼切断メッセージを生成し、これをゲートウェイに伝える過程と、前記ゲートウェイは前記移動端末に提供されたサービス品質課金情報、前記サービスが提供された呼接続時間及び前記移動端末に提供されたパケットの数とを含む課金要求メッセージを生成し、これを課金サーバーに伝える過程と、前記課金サーバーは前記課金要求メッセージの受信時に課金に必要な情報を貯蔵し、サービス品質に応じる情報の付加時に提供されるサービスに対する課金を行う過程とを含むことを特徴とする。
【００１５】
前記目的を達成するための本発明のさらに他の実施例によれば、移動端末(ＭＳ)と、前記移動端末と通信できる基地局(ＢＴＳ)と、前記基地局と接続された基地局制御器(ＢＳＣ)と、前記基地局制御器と連結されたゲートウェイ(ＧＷ)と、前記移動端末のサービス品質(ＱｏＳ)プロファイル情報を貯蔵し、前記ゲートウェイと連結されるプロファイルサーバーと、前記ゲートウェイと連結されて前記移動端末に提供されたサービスによる課金情報を貯蔵及び課金計算を行う課金サーバーとを含むサービスシステムで、前記移動端末にサービス品質に応じてサービスを提供し、提供されたサービスに応じて課金情報を貯蔵する方法において、前記プロファイルサーバーは前記移動端末の使用者を示す識別子情報と前記移動端末に提供できるサービスごとにサービス品質プロファイルを前記識別子情報とともに貯蔵する過程と、前記移動端末をサービスする基地局から前記移動端末の情報要求時に前記移動端末のサービス品質プロファイルを前記基地局に提供して前記移動端末が要求したサービスを前記サービスに対するサービス品質プロファイルに応じて提供する過程と、前記基地局は前記移動端末から呼切断メッセージの受信時に前記移動端末に提供したサービス品質課金情報を含む呼切断メッセージを生成して前記基地局制御器に伝える過程と、前記基地局制御器は呼切断メッセージの受信時に前記移動端末の呼接続時間をさらに含めて呼切断メッセージを生成し、これを前記ゲートウェイに伝える過程と、前記ゲートウェイは呼切断メッセージの受信時に前記移動端末に提供されたサービス品質課金情報、前記サービスが提供された呼接続時間及び前記移動端末に提供されたパケットの数を含む課金要求メッセージを生成し、これを前記課金サーバーに伝える過程と、前記課金サーバーは前記課金要求メッセージの受信時に課金に必要な情報を貯蔵し、サービス品質に応じる情報の付加時に提供されたサービスに対する課金を行う過程とを含むことを特徴とする。
【発明の効果】
【００１６】
本発明によれば、ＱｏＳプロファイル管理及びＱｏＳ課金情報を管理することにより、移動通信システムにおけるＱｏＳ情報貯蔵及び伝達、ＱｏＳ課金情報貯蔵及び伝達が可能になる。
【発明を実施するための最良の形態】
【００１７】
以下、添付図面を参照して本発明の好ましい実施例を詳細に説明する。
本発明で考慮した移動通信システムの構成及び課金を行うためのシステムの連結は、従来の技術を示した図１の構成と同じ構成を有する。したがって、従来の技術で説明したような網の種類に応じて前記システムの種類も変更されうる。
【００１８】
図２は、本発明の好ましい実施例に応じてプロファイルサーバーに貯蔵されるデータベースの構成図である。以下、図２を参照して本発明に応じてプロファイルサーバー４０に貯蔵されるデータベースについて詳細に説明する。
前記プロファイルサーバー４０に貯蔵されるデータベースは、加入者を識別する加入者氏名フィールド２１１、加入者の認証のためのパスワードフィールド２１２、付加使用者情報フィールド２１３及び本発明によるサービス品質(ＱｏＳ)プロファイル２２０を含む。すなわち、前記加入者氏名フィールド２１１、パスワードフィールド２１２及び付加使用者情報フィールド２１３は従来の技術と同じ構造を有する。これに加えて、本発明ではサービス品質プロファイル２２０をさらに含む。前記サービス品質プロファイル２２０は二種の方法で具現できる。第一に、前記サービス品質プロファイル２２０は加入者ごとに一つのサービス品質プロファイル２２０を割当てして定義できる。この場合、加入者は一つのプロファイルのみを備える。第二に、前記サービス品質プロファイル２２０を加入者が使用可能なサービス別に区分して割当てするように構成できる。この場合、一使用者に対して二つ以上のサービス品質プロファイル２２０が備えられる。すなわち、使用者が使用可能なサービスの数だけサービス品質プロファイル２２０を備えることができる。図２は二番目の場合を例示している。
【００１９】
このように使用者が一つ以上のサービス品質プロファイルを有する場合、サービスを提供する事業者は加入者を所定のグループに区分してサービスを提供できる。このように提供されるサービスに応じて区分されるクラスを例示すると、次の通りである。
【００２０】
(１)  プレミアムクラス加入者(Premium Class Subscriber)
(２)  ゴールドクラス加入者(Gold Class Subscriber)
(３)  シルバークラス加入者(Silver Class Subscriber)
(４)  ブロンズクラス加入者(Bronze Class Subscriber)
【００２１】
すなわち、前記サービス品質プロファイル２２０は、上述したように区分されたクラス別の加入者情報として貯蔵されうる。前記加入者のクラスは、上位のクラスであるほど、多くの課金が行われる加入者、下位のクラスであるほど、少ない課金が行われる加入者に区分できる。プロファイルサーバー４０は各加入者ごとに提供されるサービスの数に応じて相異なるサービス品質プロファイルを有することができる。したがって、各加入者は前記各サービス品質プロファイルに応じて相異なるサービス品質を有するサービスを提供されることができる。他の方法で前記加入者クラスに応じてサービスされるサービスの種類を区分できる。すなわち、サービス品質プロファイルで提供されるサービスの種類を区分せず、加入者クラスに応じて提供されるサービスの種類を区分することもできる。このように相異なるサービス品質を有するサービス種類を区分して例示すると、次の表２の通りである。
【００２２】
【表２】
2005512424.tif 000004
【００２３】
前記プロファイルサーバー４０に貯蔵されるサービスの種類は、表２に例示したようなサービス種類に区分できる。さらに、前記区分された各サービスは使用者ごとに異なるようにマッチングされうる。前記各サービス種類のうち、音声サービス(Voice Service)の場合、一つの品質パラメータのみを有する。このように一つの品質パラメータのみを有するサービスには、短文メッセージサービス(Instant Message Service)、インターネットサービス(Internet Service)などがある。さらに、一つ以上の品質パラメータを有するサービスには、ビデオサービス(Video on Demand Service)、音楽サービス(Music on Demand Service)、無線ＩＳＰサービス(Wireless ISP Service)及びＶｏＩＰサービス(VoIP Service)などがある。前記各パラメータはレベルに応じて相異なるサービス品質パラメータ値を有する。すなわち、同じサービスである場合、例えば、同じビデオサービスの場合でも、他のレベルを有するサービス品質パラメータ値を有する場合、各サービス品質パラメータに合わせて相異なるサービス品質に応じてサービスが提供されうる。さらに、同じ種類のサービスが他のサービス品質でサービスされるのみならず、これによる他の課金を行えることができる。例えば、前記加入者クラスとマッピングして説明すると、次のように構成できる。
【００２４】
プレミアムクラス加入者の場合、Voice、VOD、MOD、Web Surfing、File Transfer及びすべての支援可能サービスを提供する。さらに、ブロンズクラス加入者の場合、Voice、Web Surfingなどのサービスを提供する。 ここで、同じサービスが可能であるとしても、各サービスに対するサービス品質(ＱｏＳ)は相異なるレベル値を有することができる。すなわち、加入者のクラスに応じてサービス品質パラメータは相異なるレベルを有する。より詳しくは、相異なるサービス品質パラメータレベルを有する場合、プレミアムクラス加入者はWeb Surfingに対するサービス品質パラメータレベル値としてサービス品質レベル１を有し、ブロンズクラス加入者のWeb Surfingに対するサービス品質パラメータレベル値としてはサービス品質レベル２を有すると仮定すれば、前記サービス品質レベル１の加入者に対しては最小１００Kbpsのデータ伝送率を保障し、前記サービス品質レベル２の加入者に対しては１０kbpsのデータ伝送率を保障するように構成できる。すなわち、課金の差異に応じて同じサービスに対しても相異なる品質のサービスを支援するようにサービス品質パラメータを定義することができる。
【００２５】
これとは異なる方法で加入者クラスを区分せず、加入者の好みに応じて使用するサービスの種類と各々のサービスに対するＱｏＳ要求事項を加入者が選択するように定義することもできる。
【００２６】
これにより、サービス品質プロファイルのパラメータは次のように定義できる。
(１)  ｘ：サービスが所定の時間中に伝送できる最小限のビット数
(２)  ｙ：前記最小限のビット数の伝送にかかる所定の時間又は周期
(３)  ｚ：サービスが所定の時間中に伝送できる最大限のビット数
(４)  ｈ：サービスのハンドオフ方式(soft、virtual-soft、fast-virtual-softなど)
(５)  ｐ：サービスの支援が不可能な場合の処理方案(drop、low-QoS、non-QoSなど)
(６)  ｅ：サービスの支援が不可能な場合、低い等級のＱｏＳを優先使用(preemption)するか否かに対する定義。
(７)  ｒ：サービスの優先順位
前記ＱｏＳプロファイルのパラメータは、図１のプロファイルサーバー４０のデータベースに貯蔵される。
【００２７】
本発明による認証及び課金サーバー５０のデータベース構造を図３に参照して説明する。図３は、本発明の好ましい実施例によるデータベースの構造を示した図である。
本発明に応じて前記認証及び課金サーバー５０に貯蔵されるデータベースの構造を調べると、加入者氏名フィールド３１１と、加入者が使用したサービス課金情報を示すレコード３２０が存在する。前記サービス課金情報レコード３２０内には、課金内容レコードを識別するための課金インデックス(Billing Index)フィールド３２１、該当課金インデックスの基本課金情報が貯蔵される基本課金情報フィールド３２２及びサービス品質に応じる課金情報フィールド３２３で構成される。サービス品質に応じる課金情報フィールド３２３には次のような種類のデータが貯蔵されうる。
【００２８】
(１)  連結時間中にサービス品質(ＱｏＳ)を保障する時間の比率
(２)  連結時間中にサービス品質を保障しない時間の比率
(３)  サービス品質を保障する時間中のデータ伝送率分布度(又は平均データ伝送率)
(４)  サービス品質を保障しない時間中のデータ伝送率分布度(又は平均データ伝送率)
(５)   連結時間中の物理チャンネル速度の分布度
【００２９】
図４は、本発明の好ましい実施例に応じてプロファイルサーバーに加入者プロファイル貯蔵時の制御フローチャートである。図２及び図４を参照して本発明に応じてプロファイルサーバーに加入者プロファイルを貯蔵するときの制御過程を詳しく説明する。
図４に示した制御過程はプロファイルサーバー４０で直接プロファイルデータベースを貯蔵する過程を例として説明しているが、遠隔地でのプロファイルデータベースの貯蔵も可能なのは明らかである。
【００３０】
前記プロファイルサーバー４０は使用者プロファイルの入力が要求されると、ステップ４００に進行して運用者が入力する使用者氏名とパスワードを受信する。これは図２の使用者氏名フィールド２１１とパスワードフィールド２１２を生成するためである。さらに、前記プロファイルサーバー４０はステップ４０２に進行して使用者情報を受信する。これにより、図２の使用者情報フィールド２１３を生成する。その後、前記プロファイルサーバー４０はＱｏＳサービス可能使用者であるかを運用者に尋ねる。これは図２のサービス品質情報プロファイル２２０の生成可否を検査するためである。前記プロファイルサーバー４０は前記質問に対する応答信号として運営者により入力された信号がＱｏＳサービス可能な使用者である場合、ステップ４０８に進行する。そうでない場合、前記プロファイルサーバー４０は前記受信された情報である使用者氏名、パスワード及び使用者情報を用いて使用者プロファイルを生成した後、データベースの生成ルーチンを終了する。
【００３１】
ステップ４０６からステップ４０８に進行する場合、前記プロファイルサーバー４０は運用者が入力したデータによりサービスタイプを設定する。このようなサービスタイプは前記例示したように４種の等級に分けられる。上述したサービスタイプは一つの実施例として表現されただけで、前記とは異にして構成される場合、その場合に合うサービス等級を設定できる。前記プロファイルサーバー４０はステップ４１０に進行して運用者が入力したデータによりＱｏＳプロファイルを設定する。その後、ステップ４１２では他のサービスタイプのプロファイルが存在するかを検査して他のサービスタイプのプロファイルが存在すれば、ステップ４０８に復帰し、そうでなければ前記ルーチンを終了する。このようなサービスプロファイルには、表２に例示したようなサービスの種類と各サービスごとにサービスレベル値を含めて構成できる。したがって、各使用者ごとにサービス品質プロファイルに各サービスタイプと、これに合うサービス品質パラメータ値を貯蔵するようになる。すなわち、特定の加入者は提供されたＱｏＳサービスの数だけサービスタイプとサービス関連ＱｏＳパラメータ値をレコードの形態で貯蔵する。前記サービスタイプはＱｏＳを支援するサービスの種類を意味し、次のように定義できる。
【００３２】
(１)   Service Type No.１ : Voice
(２)   Service Type No.２ : Video On Demand
(３)   Service Type No.３ : File Transfer
(４)   Service Type No.４ : Music On Demand
(５)   Service Type No.５ : Web Surfing
(６)  その他
さらに、ＱｏＳパラメータは各サービスごとに前記定義した｛ｘ，ｙ，ｚ，ｈ，ｐ，ｅ，ｒ｝値として貯蔵される。
【００３３】
次に、加入者が呼設定を実行してサービスが開始される場合の情報伝達シグナリング過程を調べる。
図５は、本発明の好ましい実施例に応じて呼設定時のサービス認証のためのシグナリングの信号処理フローチャートである。以下、図５を参照して本発明による呼設定時のシグナリング信号の流れを詳細に説明する。
【００３４】
移動端末(ＭＳ:Mobile Station)１はステップ５００で使用者ログイン信号をゲートウェイ３０に送信する。前記ログイン信号には使用者氏名とパスワードが含まれる。この際、移動端末１と基地局(ＢＴＳ-ａ)との間は無線チャンネルを通じて使用者ログイン信号が送信され、ＢＴＳ-ａと基地局制御器(ＢＳＣ)２０及びゲートウェイ(ＧＷ)３０の間は有線チャンネルを通じて伝送される。前記ゲートウェイ３０は使用者ログイン信号を受信すると、ステップ５０２に進行して接続要求メッセージ(Access Request MSG)をプロファイルサーバー４０に伝える。この際、前記接続要求メッセージには前記移動端末１から受信された使用者氏名とパスワードが含まれる。
【００３５】
前記プロファイルサーバー４０は前記受信された使用者氏名とパスワードを図２に示したようなプロファイルデータの使用者氏名フィールド２１１とパスワードフィールド２１２を検査して使用者認証可能可否を検査する。その後、前記プロファイルサーバー４０はステップ５０４に進行して前記使用者認証可否検査結果を接続応答メッセージ(Access Response MSG)として構成してゲートウェイ３０に送信する。仮に、前記加入者が正常的な加入者である場合、前記プロファイルサーバーはＱｏＳレコードフィールド２２０のデータをともに伝送する。すなわち、前記加入者のサービスタイプとサービスＱｏＳプロファイルデータを前記ゲートウェイ３０に伝送する。このようにプロファイルサーバー４０からゲートウェイ３０に伝えられるメッセージが RADIUSを使用する場合、Attributeフィールドを用いてＱｏＳレコードフィールドの情報を伝える。図５の実施例では認証成功例を説明しているので、認証失敗場合は詳細に説明しない。
【００３６】
前記ゲートウェイ３０は前記接続応答メッセージを受信すると、ステップ５０６に進行して接続応答メッセージを前記受信されたＱｏＳレコードフィールド２２０のデータを含むＱｏＳ情報メッセージとして構成して基地局制御器２０に送信する。次に、前記基地局制御器２０は前記ＱｏＳ情報メッセージに含まれたＱｏＳレコードフィールドを貯蔵し、ステップ５０８に進行してＱｏＳ情報メッセージを基地局(ＢＴＳ-ａ)に伝える。上述した過程を通じてＢＴＳ-ａと基地局制御器２０はＱｏＳ情報メッセージとこれによるＱｏＳレコードフィールド２２０のデータを受信し、ＱｏＳレコード値によるサービスを行える。すなわち、ＱｏＳによるサービスを行えるようになる。
前記ＱｏＳ情報メッセージの構造を示すと、表３の通りである。
【００３７】
【表３】
2005512424.tif 000005
【００３８】
表３のフィールドを調べると、メッセージを識別するためのメッセージタイプ(MSG Type)フィールド、識別子(Identifier)フィールド及びメッセージの長さを示す長さ(Length)フィールドが存在する。さらに、使用者の認証のための認証情報(Authentication Information)フィールドと、ＱｏＳパラメータレコードを貯蔵するＱｏＳレコードフィールド(QoS Records)が存在する。前記ＱｏＳパラメータレコードフィールドはサービスされる種類に応じて二つ以上のフィールドからなり、基本的な音声サービスのみを提供される場合、一つのフィールドのみで構成されることもできる。
【００３９】
図６は、本発明の好ましい実施例に応じてプロファイルサーバーで接続要求メッセージの受信時の制御フローチャートである。以下、図６を参照して本発明によるプロファイルサーバー４０で接続要求メッセージが受信される場合、応答メッセージを生成して伝送する制御過程を詳細に説明する。
前記プロファイルサーバー４０はステップ６００で接続要求メッセージ(Access Request MSG)を受信すると、ステップ６０２に進行して使用者認証を行う。前記プロファイルサーバー４０における使用者認証は、前記接続要求メッセージに含まれて受信される使用者氏名とパスワードを抽出し、上述したように貯蔵されたプロファイルデータをフェッチし、これらを比較することにより行われる。図６は接続要求メッセージの認証成功時のみに対して説明するために構成した図である。したがって、認証失敗の場合に対しては説明しない。認証が完了されると、プロファイルサーバー４０はステップ６０４に進行して前記使用者認証完了された使用者がＱｏＳサービス可能使用者であるかを検査する。前記検査結果、ＱｏＳサービスが可能な使用者である場合、前記プロファイルサーバー４０はステップ６０６に進行する。そうでない場合、前記プロファイルサーバー４０はステップ６０８に進行する。ステップ６０６で前記プロファイルサーバー４０はＱｏＳ情報レコードと使用者情報を用いて接続応答メッセージ(Access Response MSG)を生成した後、ステップ６１０に進行する。ここで、生成される接続応答メッセージは上述した表３のように構成されうる。
【００４０】
これとは異なり、ステップ６０８で前記プロファイルサーバー４０は使用者情報を用いて接続応答メッセージを生成する。このようにステップ６０８で使用者情報を通じて生成される接続応答メッセージは従来の技術で一般的に使用される接続応答メッセージとなる。
【００４１】
上述したように、ステップ６０６又はステップ６０８で接続応答メッセージが生成されると、前記プロファイルサーバー４０はステップ６１０に進行して前記生成された接続応答メッセージをゲートウェイ３０に伝送する。
【００４２】
図７は、本発明の好ましい実施例に応じてゲートウェイ又は基地局制御器で接続応答メッセージの受信時の制御フローチャートである。以下、図７を参照してゲートウェイ３０と基地局制御器２０で接続応答メッセージ受信時の制御過程を詳細に説明する。さらに、図７の制御過程はゲートウェイ３０で行われる場合として仮定して説明する。前記基地局制御器２０とゲートウェイ３０の動作差異点は受信されるメッセージの名称が違うということである。すなわち、ゲートウェイ３０が受信するメッセージは接続応答メッセージであるが、基地局制御器２０が受信するメッセージはＱｏＳ情報メッセージとなる。しかし、前記二つのメッセージの両方は使用者情報とＱｏＳパラメータフィールドを共通に備えるので、図７の制御流れ図は基地局制御器２０とゲートウェイ３０の両方に同じく適用できる。
【００４３】
図６の過程のように処理されたメッセージはゲートウェイ３０に伝えられる。前記ゲートウェイ３０はステップ７００で接続応答メッセージを受信すると、ステップ７０２に進行して前記接続応答メッセージから使用者情報を抽出する。前記ゲートウェイ３０はステップ７０４で前記抽出した前記使用者情報をゲートウェイ３０の内部に備えられたメモリ(図１には図示せず)に貯蔵する。その後、前記ゲートウェイ３０はステップ７０６で前記受信された接続応答メッセージにＱｏＳレコードが付加されているかを検査する。前記検査結果、前記接続応答メッセージにＱｏＳレコードが付加されている場合、前記ゲートウェイ３０はステップ７０８に進行してサービスタイプ情報を抽出する。すなわち、図２に示したようなサービスタイプフィールド２２１の情報が接続応答メッセージに付加されて伝送されるので、前記情報を抽出する。前記ゲートウェイ３０はステップ７０８でサービスタイプを抽出した後、ステップ７１０でこれを内部メモリに貯蔵する。その後、ゲートウェイ３０はステップ７１２でサービスＱｏＳプロファイルを抽出する。ここで、前記サービスＱｏＳプロファイルは前記プロファイルサーバー４０の説明で上述した｛ｘ，ｙ，ｚ，ｈ，ｐ，ｅ，ｒ｝のようなサービス品質パラメータ値を有する値を意味する。すなわち、前記サービスＱｏＳプロファイルは図２のサービスＱｏＳプロファイル２２２の値となる。このようにサービスＱｏＳプロファイル２２２が抽出されると、前記ゲートウェイ３０はステップ７１４で内部に備えられた内部メモリに前記サービスＱｏＳプロファイル２２２を貯蔵する。その後、前記ゲートウェイ３０はステップ７１６でＱｏＳレコードがさらに存在するかを検査する。前記検査結果、ＱｏＳレコードがさらに存在する場合、前記ゲートウェイ３０はステップ７０８に進行する。すなわち、ゲートウェイ３０は上述した抽出及び貯蔵過程を再び行う。しかし、ＱｏＳレコードがさらに存在しない場合、前記ゲートウェイ３０はステップ７１８に進行してＱｏＳ情報メッセージを次のノードに伝える。ここで、次のノードは基地局制御器２０を意味する。しかし、基地局制御器２０で次のノードは基地局(ＢＴＳ-ａ)を意味する。
【００４４】
さらに、ステップ７００乃至ステップ７１６は基地局(ＢＴＳ-ａ)でも同じ過程を行う。但し、基地局(ＢＴＳ-ａ)では、上述したように受信されるメッセージがＱｏＳ情報メッセージであり、ステップ７１８を行う代わりに前記受信されたメッセージを廃棄する。すなわち、基地局(ＢＴＳ-ａ)の場合は受信されたメッセージを再び移動端末１に伝えない。これは移動端末１に前記メッセージを伝える必要がないからである。
課金情報の貯蔵はサービスを実行した後、すなわち、呼の解除時点にサービスされた内容を用いて課金データを貯蔵する。したがって、呼の解除過程を調べる。
【００４５】
図８は、本発明に応じて呼が解除されてＱｏＳ基盤の課金を支援する認証及び課金サーバーに課金情報が伝えられる場合の信号フローチャートである。以下、図８を参照して本発明に応じてＱｏＳ基盤の課金を支援する認証及び課金サーバーへの課金情報伝達時の信号流れを詳細に説明する。
【００４６】
移動端末１は呼解除時に使用者ログアウト(User Logout)信号と呼切断メッセージ(Disconnect MSG)を基地局(ＢＴＳ-ａ)に送信する。これに対しては、図８のステップ８００ａ，８００ｂが示されている。前記基地局(ＢＴＳ-ａ)は前記呼切断メッセージとともに前記使用者ログアウト信号を受信すると、前記使用者ログアウト信号を基地局制御器２０を通じてゲートウェイ３０に伝える。このような過程を通じてゲートウェイ３０は前記受信された使用者ログアウト信号を受信する。
【００４７】
前記基地局(ＢＴＳ-ａ)は前記呼切断メッセージを受信すると、ステップ８０２でこれを前記基地局制御器２０に伝える。この際、前記基地局(ＢＴＳ-ａ)はＱｏＳ課金情報(QoS Billing Information)を呼切断メッセージに含めて基地局制御器２０に伝える。前記ＱｏＳ課金情報には、連結時間中にサービス品質(ＱｏＳ)を保障する時間の比率、連結時間中にサービス品質を保障しない時間の比率、サービス品質を保障する時間中のデータ伝送率分布度(又は平均データ伝送率)、サービス品質を保障しない時間中のデータ伝送率分布度(又は平均データ伝送率)及び連結時間中の物理チャンネル速度の分布度が含まれる。このような過程を通じて基地局(ＢＴＳ-ａ)から基地局制御器２０に呼切断メッセージとＱｏＳ課金情報が伝えられる。前記基地局制御器２０は受信された呼切断メッセージに応じて呼切断のための内部手順を行い、ステップ８０４に進行して前記呼切断メッセージをゲートウェイ３０に伝える。この際、基地局制御器２０からゲートウェイ３０に伝えられる呼切断メッセージには移動端末１がＱｏＳサービスを提供された接続時間(Connection Time)と前記基地局(ＢＴＳ-ａ)から受信されたＱｏＳ課金情報が含まれる。前記ゲートウェイ３０は呼切断メッセージを受信すると、前記基地局制御器２０のように呼切断のための内部手順を実行した後、ステップ８０６で認証及び課金サーバー５０に課金要求メッセージ(Billing Request MSG)を伝送する。このような課金要求メッセージには接続時間情報、伝送されたパケット数(Packets #)の情報及びＱｏＳ課金情報が含まれる。すなわち、ゲートウェイ３０は送信されるパケットの数を予め貯蔵してから呼切断メッセージが受信されると、前記パケットの数、受信された接続時間及びＱｏＳ課金情報を認証及び課金サーバー５０に伝える。
【００４８】
さらに、図１で上述したように基地局と基地局制御器の連結又は基地局制御器とゲートウェイの連結がＩＰ網で構成される場合、各構成要素の動作が前記信号フローチャートとは異なることもある。但し、前記信号フローチャートで言及された課金のための情報が課金サーバーに伝えられると、本発明と同じ条件の動作を実行できる。これに対しては詳細に説明しない。
【００４９】
図９は、本発明の好ましい実施例に応じて基地局で呼切断メッセージ受信時の課金情報伝達の制御フローチャートである。以下、図９を参照して基地局で呼切断メッセージの受信時に課金情報が生成される過程及び生成された課金情報の伝達制御過程を詳細に説明する。
【００５０】
基地局(ＢＴＳ-ａ)はステップ９００で呼接続状態を制御し、ステップ９０２に進行して呼切断メッセージ(Disconnect MSG)が受信されるかを検査する。このような呼切断メッセージは図８で説明したように使用者ログアウト信号とともに移動端末１から送信される。前記基地局(ＢＴＳ-ａ)はステップ９０２の検査結果、呼切断メッセージが受信される場合はステップ９０４に進行し、そうでない場合は呼接続状態を維持する。ステップ９０２で呼切断メッセージが受信されてステップ９０４に進行する場合、前記基地局(ＢＴＳ-ａ)は受信された呼切断メッセージからＱｏＳ課金情報を生成する。前記ＱｏＳ課金情報は使用したサービスの種類による課金情報となる。すなわち、サービスされた情報を課金情報として生成する。このようにＱｏＳ課金情報の生成が完了されると、基地局(ＢＴＳ-ａ)はステップ９０６に進行して呼切断メッセージにＱｏＳ課金レコードを付加する。基地局(ＢＴＳ-ａ)は呼切断メッセージにＱｏＳ課金レコードを付加した後、前記ＱｏＳ課金レコードが付加されて生成された呼切断メッセージを基地局制御器２０に伝える。
【００５１】
図１０は、本発明の好ましい実施例に応じて基地局制御器で呼切断メッセージが受信される場合、課金情報の生成及び伝達による制御フローチャートである。以下、図１０を参照して本発明に応じて基地局制御器２０で呼切断メッセージを受信するとき、課金情報の生成及び生成されたメッセージを伝える場合、制御過程を詳細に説明する。
【００５２】
前記基地局制御器２０はステップ１０００で呼が連結された状態なので、呼接続状態を維持し、ステップ１００２に進行して基地局(ＢＴＳ-ａ)から呼切断メッセージが受信されるかを検査する。前記検査結果、呼切断メッセージが受信される場合、基地局制御器２０はステップ１００４に進行し、そうでない場合はステップ１０００を続けて維持する。さらに、前記基地局(ＢＴＳ-ａ)から基地局制御器２０に受信される呼切断メッセージは図９で上述した過程を通じて伝えられたメッセージなので、ＱｏＳによるサービスが提供された場合、 ＱｏＳ課金レコードが付加されたメッセージとなる。本発明ではＱｏＳによるサービスに対して説明するので、図１０でもＱｏＳによるサービス提供の場合と仮定して説明する。ステップ１００２からステップ１００４に進行する場合、前記基地局制御器２０は基地局(ＢＴＳ-ａ)から呼切断メッセージが受信された時間を用いて前記移動端末１の呼接続時間(Connection Time)データを生成する。すなわち、呼が連結された時間から呼切断時間までの呼接続時間を計算する。さらに、前記基地局制御器２０はステップ１００６に進行して前記受信された呼切断メッセージにステップ１００４で計算した接続時間フィールドを付加する。その後、前記基地局制御器２０は接続時間フィールドとＱｏＳ課金情報が付加された呼切断メッセージをゲートウェイ３０に伝える。
【００５３】
図１１は、本発明の好ましい実施例に応じてゲートウェイで呼切断メッセージ受信時の制御フローチャートである。以下、図１１を参照して本発明に応じてゲートウェイ３０で呼切断メッセージの受信時に本発明によるＱｏＳ課金情報を生成し、前記生成された課金情報を用いて認証及び課金サーバー５０への課金要求メッセージ伝送時の制御過程を詳細に説明する。
【００５４】
ゲートウェイ３０はステップ１１００で呼接続状態を維持し、ステップ１１０２に進行して呼切断メッセージが受信されるかを検査する。この際、受信される呼切断メッセージは、図１０で上述したように、提供されたサービスの種類によるＱｏＳ課金情報と提供されたサービスの接続時間を含む呼切断メッセージとなる。このような呼切断メッセージが受信される場合、前記ゲートウェイ３０はステップ１１０４に進行し、そうでない場合はステップ１１００の呼接続制御状態を続けて維持する。前記ゲートウェイ３０はステップ１１０４で前記提供されたサービスの種類によるＱｏＳ課金情報と提供されたサービスの接続時間を前記認証及び課金サーバー５０に伝えるための課金要求メッセージ(Billing-Request MSG)を生成し、伝送されたパケットの数を計算する。すなわち、ゲートウェイ３０は移動端末１にサービスが提供される状態、すなわち、呼が接続されている状態で移動端末１に伝送されるパケットの数を計算する。さらに、使用者ログアウト信号が受信されるとき、同時に前記呼切断メッセージが受信されると、前記移動端末１に伝送されたパケットの数を計算する。このように伝送されたパケットの数を計算した後、前記ゲートウェイ３０はステップ１１０６に進行して前記生成した課金要求メッセージに伝送されたパケットの数フィールドを付加する。
【００５５】
その後、ステップ１１０８で前記ゲートウェイ３０はＱｏＳ課金情報と前記呼接続時間を含む課金要求メッセージを生成し、ステップ１１１０に進行して認証及び課金サーバー５０に課金要求メッセージを伝送する。すなわち、前記基地局(ＢＴＳ-ａ)、基地局制御器２０及びゲートウェイ３０で生成されたＱｏＳ課金情報、接続時間データ及び伝送されたパケットの数情報などが認証及び課金サーバー５０に伝えられる。
【００５６】
上述したようにゲートウェイ３０で生成されて課金サーバー５０に伝えられる課金要求メッセージに含まれるメッセージを示すと、表４のようになる。
【００５７】
【表４】
2005512424.tif 000006
【００５８】
表４のメッセージにはメッセージタイプ(MSG Type (Code))、識別子(Identifier)及びメッセージ情報フィールドの長さを示すフィールドが含まれる。さらに、加入者の認証のための認証情報(Authentication Information)フィールドと基本的な課金情報(Basic Billing Information｛Connection Time｝、｛Exchanged Packet Number｝)フィールドを含む。さらに、ＱｏＳ課金情報レコード(QoS Billing Record)を含めて伝える。
【００５９】
図１２は、本発明の好ましい実施例に応じて認証及び課金サーバーで課金要求メッセージ受信時の制御フローチャートである。以下、図１２を参照して本発明に応じて認証及び課金サーバー５０で課金要求メッセージ の受信時に行われる制御過程を詳細に説明する。
前記認証及び課金サーバー５０はステップ１２００で待機状態を維持する。ここで、待機状態はゲートウェイ３０から課金要求メッセージの受信及び運用者が入力する各種のキー入力を待機する状態をいう。前記認証及び課金サーバー５０はこのような待機状態を維持し、ステップ１２０２に進行して前記ゲートウェイ３０から表４に示したような課金要求メッセージが受信されるかを検査する。前記検査結果、課金要求メッセージ(Billing-Request MSG)が受信される場合はステップ１２０４に進行し、そうでない場合は待機状態を維持する。前記認証及び課金サーバー５０はステップ１２０４で課金インデックス(Billing-Index)を生成する。このような課金インデックスは各レコードを識別するためのインデックスとなる。前記認証及び課金サーバー５０は課金インデックスを生成すると、ステップ１２０６に進行して課金情報である連結時間と交換した、すなわち、サービスされたパケットの個数情報を貯蔵する。その後、認証及び課金サーバー５０はステップ１２０８に進行してＱｏＳレコードが含まれているかを検査する。すなわち、表４に示したようなＱｏＳ課金レコード(QoS Billing Record)が含まれているかを検査する。前記検査結果、ＱｏＳ課金レコードが含まれている場合、前記認証及び課金サーバー５０はステップ１２１０に進行してＱｏＳ課金レコードを抽出し、ステップ１２１２ではＱｏＳ課金レコードを内部メモリ(図１には図示せず)に貯蔵する。
【００６０】
この際、前記ＱｏＳ課金レコードに貯蔵されるデータは上述したサービス品質プロファイルのパラメータを貯蔵する。さらに、サービス品質パラメータで要求される状態でサービスが提供されたパケットの数又はサービス品質パラメータで要求された状態でサービスが提供された平均伝送率などの情報を貯蔵する。のみならず、サービス品質パラメータで要求される状態でサービスが提供されないパケットの数又はサービス品質パラメータで要求された状態でサービスが提供されない平均伝送率情報などを貯蔵する。このような情報は課金時に正常的にサービスが提供されたパケットとそうでないパケット情報に応じて相異なる課金を行うためである。
【００６１】
このようにＱｏＳ課金レコードを貯蔵した後、前記認証及び課金サーバー５０はステップ１２１４でＱｏＳ課金レコードがさらに存在するかを検査する。すなわち、表４に示したように二つ以上のＱｏＳ課金レコードが存在する場合はステップ１２１０に進行し、そうでない場合は動作を終了する。ステップ１２１４により、前記課金要求メッセージに含まれたすべてのＱｏＳ課金レコードを抽出して貯蔵できる。このようなＱｏＳ課金レコードは今後課金サーバー５０で使用者の利用料金精算時に利用可能なデータとして使用される。
【００６２】
図１３は、本発明の他の実施例に応じてプロファイルサーバーが認証及び課金サーバーに含まれるか、下位に連結される場合の呼設定時にサービス認証のための信号フローチャートである。以下、図１３を参照して本発明の他の実施例に応じてプロファイルサーバーが認証及び課金サーバーに含まれるか、下位に連結される場合を上述した図５と比較して説明する。
【００６３】
前記使用者ログイン(User Login)信号を送信する過程は図５のものと同じである。図５でゲートウェイ３０はプロファイルサーバー４０に接続要求メッセージを送信したが、本実施例では認証及び課金サーバー５０を通じてプロファイルサーバー４０に接続が可能なので、ゲートウェイ３０は認証及び課金サーバー５０に接続要求メッセージを送信する。図１３の接続要求メッセージも図５のものと同じである。認証及び課金サーバー５０は接続要求メッセージを受信すると、ステップ１３０４で受信された接続要求メッセージに含まれた使用者情報及びパスワードを用いてプロファイルサーバー４０に使用者情報(User Information)を要求する。プロファイルサーバー４０は使用者氏名とパスワードが一致する場合、ステップ１３０６で前記要求された使用者のＱｏＳパラメータを含む使用者情報を認証及び課金サーバー５０に伝える。これにより、認証及び課金サーバー５０はステップ１３０８乃至ステップ１３１２を行う。ここで、ステップ１３０８は図５のステップ５０４と同じであり、ステップ１３１０は図５のステップ５０６と同じであり、ステップ１３１２は図５のステップ５０８と同じである。したがって、これに対しては説明を省略する。
【００６４】
図１４は、本発明の他の実施例に応じて認証及び課金サーバーで接続要求メッセージ受信時の制御フローチャートである。以下、図４を参照して本発明に応じて認証及び課金サーバーで接続要求メッセージ受信時の制御過程を詳細に説明する。
前記認証及び課金サーバー５０はステップ１４００で接続要求メッセージ(Access Request MSG)を受信すると、ステップ１４０２で前記接続要求メッセージに含まれた情報を用いて使用者情報要求メッセージ(User Information Request)を生成し、これをプロファイルサーバー４０に伝える。その後、ステップ１４０４に進行して前記プロファイルサーバー４０から使用者情報が受信されるかを検査する。一般的に認証失敗の場合、すなわち、使用者氏名とパスワードが一致しなくてプロファイルサーバー４０が認証失敗メッセージを伝えることもできる。しかし、本実施例は認証失敗の場合を除外した制御フローチャートである。したがって、使用者情報の受信は認証成功の場合と仮定して説明する。認証及び課金サーバー５０はステップ１４０４の検査結果、使用者情報が受信された場合はステップ１４０６に進行し、そうでない場合はステップ１４０４を続けて行う。
【００６５】
前記認証及び課金サーバー５０はステップ１４０６に進行すると、前記プロファイルサーバー４０から受信された使用者情報がＱｏＳによるサービス可能な加入者であるかを検査する。その検査結果、前記認証及び課金サーバー５０は前記プロファイルサーバー４０から認証成功信号とともにＱｏＳパラメータを含む情報を受信すれば、ＱｏＳサービスが可能な使用者として検出し、そうでない場合は一般加入者として検出する。したがって、ＱｏＳサービスが可能な加入者である場合はステップ１４０８に進行し、そうでない場合はステップ１４１０に進行する。前記認証及び課金サーバー５０はステップ１４０８でＱｏＳ情報レコードと使用者情報を用いて接続応答メッセージ(Access Response MSG)を生成した後、ステップ１４１２に進行する。ここで、生成される接続応答メッセージは表３に示したように構成できる。
【００６６】
これとは異なり、ステップ１４０６からステップ１４１０に進行する場合、前記認証及び課金サーバー５０は使用者情報を用いて接続応答メッセージを生成する。このようにステップ１４１０で使用者情報を通じて生成される接続応答メッセージは従来の技術で一般的に使用される接続応答メッセージとなる。
【００６７】
上述したようにステップ１４１０又は１４０８で接続応答メッセージが生成されると、前記認証及び課金サーバー５０はステップ１４１２に進行して前記生成された接続応答メッセージをゲートウェイ３０に伝送する。
【００６８】
このように構成する場合でも、プロファイルサーバー４０で認証検査は同じく行われる。但し、プロファイルサーバー４０が接続要求メッセージを直接受信せず、接続応答メッセージを直接生成しないということに差異がある。しかし、これもプロファイルサーバー４０が直接実行するように構成できる。このような事項はシステムの設計者による選択的な事項である。
【００６９】
上述したように、本発明で提案するＱｏＳプロファイル管理及びＱｏＳ課金情報を管理することにより、移動通信システムにおけるＱｏＳ情報貯蔵及び伝達、ＱｏＳ課金情報貯蔵及び伝達が可能になる。
【００７０】
以上、本発明の詳細について具体的な実施形態に基づいて説明してきたが、本発明の範囲を逸脱しない限り、各種の変形が該当技術分野における通常の知識を持つ者により可能なのは明らかである。従って、本発明は上記実施形態に限るものでない。
【図面の簡単な説明】
【００７１】
【図１】一般的な移動通信システムの網構成及び課金情報を貯蔵するシステムの連結構成図。
【図２】本発明の好ましい実施例に応じてプロファイルサーバーに貯蔵されるデータベースの構成図。
【図３】本発明の好ましい実施例によるデータベースの構造を示した図。
【図４】本発明の好ましい実施例に応じてプロファイルサーバーで加入者プロファイル貯蔵時の制御フローチャート。
【図５】本発明の好ましい実施例に応じて呼設定時のサービス認証のための信号処理フローチャート。
【図６】本発明の好ましい実施例に応じてプロファイルサーバーで接続要求メッセージ処理時の応答メッセージ伝送の制御フローチャート。
【図７】本発明の好ましい実施例に応じてゲートウェイ及び基地局制御器で接続応答メッセージ受信時の制御フローチャート。
【図８】本発明に応じて呼が解除されてＱｏＳ基盤の課金を支援する認証及び課金サーバーへの課金情報伝達のための信号フローチャート、
【図９】本発明の好ましい実施例に応じて基地局で呼切断メッセージ受信時の課金情報伝達の制御フローチャート。
【図１０】本発明の好ましい実施例に応じて基地局制御器で呼切断メッセージ受信時の課金情報伝達の制御フローチャート。
【図１１】本発明の好ましい実施例に応じてゲートウェイで呼切断メッセージ受信時の制御フローチャート、
【図１２】本発明の好ましい実施例に応じて認証及び課金サーバーで課金要求メッセージ受信時の制御フローチャート。
【図１３】本発明の他の実施例に応じてプロファイルサーバーが認証及び課金サーバーに含まれるか、下位に連結される場合、呼設定時のサービス認証のための信号フローチャート。
【図１４】本発明の他の実施例に応じて認証及び課金サーバーで接続要求メッセージ受信時の制御フローチャート。
【符号の説明】
【００７２】
３０      ゲートウェイ
４０      プロファイルサーバー
５０      課金サーバー
２１１    加入者氏名フィールド
２１２    パスワードフィールド
２１３    付加使用者情報フィールド
２２０    サービス品質プロファイル
３２０    レコード
３２１    課金インデックスフィールド
３２２    基本課金情報フィールド
３２３    課金情報フィールド
【図１】
2005512424.tif 000007
【図２】
2005512424.tif 000008
【図３】
2005512424.tif 000009
【図４】
2005512424.tif 000010
【図５】
2005512424.tif 000011
【図６】
2005512424.tif 000012
【図７】
2005512424.tif 000013
【図８】
2005512424.tif 000014
【図９】
2005512424.tif 000015
【図１０】
2005512424.tif 000016
【図１１】
2005512424.tif 000017
【図１２】
2005512424.tif 000018
【図１３】
2005512424.tif 000019
【図１４】
2005512424.tif 000020
【国際調査報告】
2005512424.tif 000021
2005512424.tif 000022